(57)【要約】【課題】設置高さが低く、低損失で、放熱性にも優れるコイル、磁性コア、及びリアクトルを提供する。【解決手段】巻線が巻回されてなる筒状の巻回部を備え、前記巻回部は、その内周面に囲まれる内側空間に向かって、凹み方向が互いに逆向きになるように設けられた二つのコイル凹部を備えるコイル。【選択図】図１
2018049947.tif 000002
【特許請求の範囲】
【請求項１】
巻線が巻回されてなる筒状の巻回部を備え、
前記巻回部は、その内周面に囲まれる内側空間に向かって、凹み方向が互いに逆向きになるように設けられた二つのコイル凹部を備えるコイル。
【請求項２】
前記巻回部の端面を内包する長方形の短辺に対する長辺の比が１．５以上である請求項１に記載のコイル。
【請求項３】
前記二つのコイル凹部は、対向配置される請求項１又は請求項２に記載のコイル。
【請求項４】
前記巻回部の外周の少なくとも一部を覆う樹脂モールド部を備える請求項１から請求項３のいずれか１項に記載のコイル。
【請求項５】
コイルの巻回部の内周に配置される中脚部と、前記巻回部の外周に配置されて前記中脚部を挟む二つの側脚部と、前記中脚部及び両側脚部を挟み、これらを連結する二つの連結部とを備え、
前記中脚部は、
前記二つの側脚部に挟まれない張出箇所を含み、
前記中脚部の内部に向かって、凹み方向が互いに逆向きなるように設けられた二つのコア凹部を備え、
各側脚部は、
各コア凹部に向かって突出し、前記各コア凹部との間に所定の隙間を設けて配置される凸面を備える磁性コア。
【請求項６】
前記中脚部の軸方向に直交する平面で前記磁性コアを切断した横断面を内包する長方形の短辺に対する長辺の比が１．５以上である請求項５に記載の磁性コア。
【請求項７】
前記二つのコア凹部が対向配置されると共に、前記二つの凸面が対向配置される請求項５又は請求項６に記載の磁性コア。
【請求項８】
磁性粉末と樹脂とを含む複合材料の成形体、及び磁性粉末を含む圧粉成形体の少なくとも一方を備える請求項５から請求項７のいずれか１項に記載の磁性コア。
【請求項９】
一対の分割コア片を組み合わせて構成され、
各分割コア片は、一方の前記連結部と、前記連結部から立設され、前記中脚部の一部を形成する中脚片及び前記各側脚部の一部を形成する二つの側脚片とを備える請求項５から請求項８のいずれか１項に記載の磁性コア。
【請求項１０】
請求項１から請求項４のいずれか１項に記載のコイルと、請求項５から請求項９のいずれか１項に記載の磁性コアとを備え、
各コイル凹部が前記中脚部の各コア凹部と前記各側脚部の凸面間に配置され、
前記巻回部における前記コイル凹部以外の箇所が前記磁性コアに覆われずに露出されるリアクトル。
【請求項１１】
前記側脚部は、前記巻回部における前記磁性コアからの露出箇所の一部と面一な面を備える請求項１０に記載のリアクトル。
【発明の詳細な説明】
【技術分野】
【０００１】
本発明は、コイル、磁性コア、及びリアクトルに関するものである。
【背景技術】
【０００２】
電圧の昇圧動作や降圧動作を行う回路の部品の一つに、リアクトルがある。特許文献１の図４，図５は、車載コンバータ用のリアクトルとして、巻線を螺旋状に巻回してなる一つの矩形筒状の巻回部を備えるコイルと、一対のＥ字状の分割コアを組み合わせてなる磁性コアとを備えるものを開示する。この磁性コアは、巻回部の内周に配置される中脚（内側コア部３１）と、巻回部の外周に配置されて中脚を挟む一対の側脚と、中脚及び両側脚を挟み、これらを連結する二つの連結部とを備える。
【先行技術文献】
【特許文献】
【０００３】
【特許文献１】特開２０１６−１２２７６０号公報
【発明の概要】
【発明が解決しようとする課題】
【０００４】
設置高さが低く、低損失で、放熱性にも優れるリアクトルが望まれている。また、このようなリアクトルを構築できるコイル及び磁性コアが望まれている。
【０００５】
特許文献１の図４では、リアクトルを取り付ける設置対象の載置面に対してコイルの巻回部の軸方向が平行するようにリアクトルを設置対象に設置する形態（以下、横置き形態と呼ぶことがある）を示す。横置き形態では、巻回部の軸方向が設置対象の載置面に対して直交するようにリアクトルを設置する場合に比較して、特に巻回部のターン数が多い場合などでも、リアクトルにおける載置面からの高さ（以下、設置高さと呼ぶことがある）を低くできる。また、特許文献１の図４では、巻回部の外周面における設置対象側に位置する下面及びその対向位置にある上面を磁性コアで覆わず露出させ、巻回部の下面を設置対象の載置面に近接する。こうすることで、コイルの熱を設置対象に伝え易い上に巻回部の上面から周囲雰囲気にも放散し易く、放熱性に優れる。
【０００６】
しかし、特許文献１の図４に示すリアクトルに対して、更なる低背化を図ると、以下のように、損失の増大が懸念される。設置高さを低くするために、巻回部の端面形状を横長の長方形状に変更し、この横長の巻回部の形状に対応して、中脚を横長の長方形状に変更すると、中脚と側脚との中心間の距離が離れる。その結果、横長の巻回部において、中脚と側脚間に挟まれず、磁性コアに覆われない箇所の長さが長くなり、このような箇所に漏れ磁束が鎖交し易い。漏れ磁束の鎖交によって、コイルに生じる渦電流損の増大を招き得る。
【０００７】
上述の横長の巻回部に対して、例えば巻回部の長辺部を中脚と側脚とで挟み、巻回部の短辺部を露出させれば、上述の巻回部への磁束の鎖交を低減して、損失の増大を低減し易い。しかし、巻回部の長辺部と設置対象の載置面間に側脚が介在されるため、側脚の厚さ分だけ設置高さの増大を招く上に、コイルから設置対象への放熱性の低下も招く。
【０００８】
そこで、設置高さが低く、低損失で、放熱性にも優れるリアクトルを提供することを目的の一つとする。また、設置高さが低く、低損失で、放熱性にも優れるリアクトルなどを構築できるコイル、及び磁性コアを提供することを別の目的の一つとする。
【課題を解決するための手段】
【０００９】
本発明の一態様に係るコイルは、
巻線が巻回されてなる筒状の巻回部を備え、
前記巻回部は、その内周面に囲まれる内側空間に向かって、凹み方向が互いに逆向きになるように設けられた二つのコイル凹部を備える。
【００１０】
本発明の一態様に係る磁性コアは、
コイルの巻回部の内周に配置される中脚部と、前記巻回部の外周に配置されて前記中脚部を挟む二つの側脚部と、前記中脚部及び両側脚部を挟み、これらを連結する二つの連結部とを備え、
前記中脚部は、
前記二つの側脚部に挟まれない張出箇所を含み、
前記中脚部の内部に向かって、凹み方向が互いに逆向きなるように設けられた二つのコア凹部を備え、
各側脚部は、
各コア凹部に向かって突出し、前記各コア凹部との間に所定の隙間を設けて配置される凸面を備える。
【００１１】
本発明の一態様に係るリアクトルは、
上記の本発明の一態様に係るコイルと、上記の本発明の一態様に係る磁性コアとを備え、
各コイル凹部が前記中脚部の各コア凹部と前記各側脚部の凸面間に配置され、
前記巻回部における前記コイル凹部以外の箇所が前記磁性コアに覆われずに露出される。
【発明の効果】
【００１２】
上記のコイル及び上記の磁性コアは、設置高さが低く、低損失で、放熱性にも優れるリアクトルなどを構築できる。上記のリアクトルは、設置高さが低く、低損失で、放熱性にも優れる。
【図面の簡単な説明】
【００１３】
【図１】実施形態１のリアクトルを示す概略斜視図である。
【図２】実施形態１のリアクトルを図１に示す（ＩＩ）−（ＩＩ）切断線で切断した断面図である。
【図３】実施形態１のコイルを示す概略斜視図である。
【図４】実施形態１の磁性コアを示す分解斜視図である。
【図５】実施形態１のリアクトルがケースに収納された状態を示す横断面図である。
【図６】実施形態２のリアクトルを示す横断面図である。
【発明を実施するための形態】
【００１４】
［本発明の実施の形態の説明］
最初に本発明の実施形態を列記して説明する。
（１）本発明の一態様に係るコイルは、
巻線が巻回されてなる筒状の巻回部を備え、
前記巻回部は、その内周面に囲まれる内側空間に向かって、凹み方向が互いに逆向きになるように設けられた二つのコイル凹部を備える。
【００１５】
上記のコイルによれば、設置高さが低く、低損失で、放熱性にも優れるリアクトルなどを構築できる。詳しくは以下の通りである。
【００１６】
上記のコイルは、巻回部のコイル凹部を磁性コアの配置箇所に利用できる。上記のコイルに磁性コア（特に後述の（５）の磁性コアなど）を組み付けて、コイル凹部に磁性コアの一部を配置すれば、コイル凹部と磁性コアの一部との重複配置によって、上記のコイルと磁性コアとを含む組物の大きさを小さくできる。従って、上記のコイルを利用することで、好ましくは横置き形態とすることで、設置高さが低いリアクトルなどを構築できる。
【００１７】
上記のコイルは、巻回部のコイル凹部を磁性コアの配置箇所とし、巻回部におけるコイル凹部以外の箇所を磁性コアに覆われない露出箇所とすれば、この露出箇所の少なくとも一部を設置対象の載置面に近接させたり、周囲雰囲気に曝したりすることなどができる。従って、上記のコイルを利用することで、放熱性に優れるリアクトルなどを構築できる。
【００１８】
上記のコイルは、巻回部のコイル凹部を磁性コアの配置箇所とし、コイル凹部を、磁性コアにおける巻回部内に配置される箇所とコイル凹部に配置される箇所とで挟むことができる。そのため、巻回部の端面形状が横長であり、コイル凹部が比較的長くても、漏れ磁束の鎖交に起因する損失を低減し易い。従って、上記のコイルを利用することで、低損失なリアクトルなどを構築できる。
【００１９】
（２）上記のコイルの一例として、
前記巻回部の端面を内包する長方形の短辺に対する長辺の比が１．５以上である形態が挙げられる。
【００２０】
上記形態は偏平なコイルといえ、横長に設置できる。従って、上記形態は、設置高さがより低いリアクトルなどを構築できる。
【００２１】
（３）上記のコイルの一例として、
前記二つのコイル凹部は、対向配置される形態が挙げられる。
【００２２】
上記形態は、例えばコイル凹部が向かい合った対称形状とすることができ、非対称な場合と比較して、コイルを形成し易い上に、磁束をバランスよく磁性コアに流し易い。従って、上記形態は、設置高さが低く、低損失で、放熱性にも優れるリアクトルなどを構築できる上に、製造性にも優れ、電磁気的なバランスにも優れるリアクトルなどを構築できる。
【００２３】
（４）上記のコイルの一例として、
前記コイルの外周の少なくとも一部を覆う樹脂モールド部を備える形態が挙げられる。
【００２４】
上記形態は、磁性コアや周囲部品などとの間の絶縁性を高められる。従って、上記形態は、設置高さが低く、低損失で、放熱性にも優れるリアクトルなどを構築できる上に、絶縁性にも優れる。
【００２５】
（５）本発明の一態様に係る磁性コアは、
コイルの巻回部の内周に配置される中脚部と、前記巻回部の外周に配置されて前記中脚部を挟む二つの側脚部と、前記中脚部及び両側脚部を挟み、これらを連結する二つの連結部とを備え、
前記中脚部は、
前記二つの側脚部に挟まれない張出箇所を含み、
前記中脚部の内部に向かって、凹み方向が互いに逆向きなるように設けられた二つのコア凹部を備え、
各側脚部は、
各コア凹部に向かって突出し、前記各コア凹部との間に所定の隙間を設けて配置される凸面を備える。
【００２６】
上記の磁性コアによれば、設置高さが低く、低損失で、放熱性にも優れるリアクトルなどを構築できる。詳しくは以下の通りである。
【００２７】
上記の磁性コアは、中脚部のコア凹部と側脚部の凸面間の隙間をコイルの巻回部の配置箇所に利用できる。上記の磁性コアにコイル（特に上述の（１）のコイルなど）を組み付けて、中脚部を巻回部内に挿通配置すると共に上記の隙間に巻回部の一部を配置すれば、磁性コアの一部と巻回部の一部との重複配置によって、上記の磁性コアとコイルとを含む組物の大きさを小さくできる。従って、上記の磁性コアを利用することで、好ましくは中脚部の軸方向が設置対象の載置面に平行するように設置する形態（横置き形態に相当）とすることで、設置高さが低いリアクトルなどを構築できる。
【００２８】
上記の磁性コアは、中脚部のコア凹部と側脚部の凸面間の隙間を巻回部の一部の配置箇所とし、中脚部の張出箇所を囲むように巻回部の他部を配置すれば、この巻回部の他部を磁性コアに覆われない露出箇所とすることができる。この露出箇所の少なくとも一部を設置対象の載置面に近接させたり、周囲雰囲気に曝したりすることなどができる。従って、上記の磁性コアを利用することで、放熱性に優れるリアクトルなどを構築できる。
【００２９】
上記の磁性コアは、中脚部に凹んだ部分を含むものの張出箇所を備えるため、所定の磁路面積を確保できる。また、中脚部の各コア凹部を埋めるように各側脚部が設けられ、中脚部と側脚部とが近接される部分を含むため、漏れ磁束を低減できる。そのため、磁性コアの横断面（後述）における外形が横長である場合でも、中脚部のコア凹部と側脚部の凸面間の隙間に巻回部の一部を配置すれば、漏れ磁束の鎖交に起因する損失を低減でき、低損失なリアクトルなどを構築できる。
【００３０】
（６）上記の磁性コアの一例として、
前記中脚部の軸方向に直交する平面で前記磁性コアを切断した横断面を内包する長方形の短辺に対する長辺の比が１．５以上である形態が挙げられる。
【００３１】
上記形態は偏平な磁性コアといえ、横長に設置できる。従って、上記形態は、設置高さがより低いリアクトルなどを構築できる。
【００３２】
（７）上記の磁性コアの一例として、
前記二つのコア凹部が対向配置されると共に、前記二つの凸面が対向配置される形態が挙げられる。
【００３３】
上記形態は、例えばコア凹部が向かい合い、その外側に凸面が向かい合った対称形状とすることができ、非対称な場合と比較して、磁性コアを形成し易い上に、磁束をバランスよく通過させ易い。従って、上記形態は、設置高さが低く、低損失で、放熱性にも優れるリアクトルなどを構築できる上に、製造性にも優れ、電磁気的なバランスにも優れるリアクトルなどを構築できる。
【００３４】
（８）上記の磁性コアの一例として、
磁性粉末と樹脂とを含む複合材料の成形体、及び磁性粉末を含む圧粉成形体の少なくとも一方を備える形態が挙げられる。
【００３５】
上記形態は、複合材料の成形体から構成される一体成形物や、複合材料の成形体及び圧粉成形体の少なくとも一方から構成される複数の分割コア片の組物とすることができ、材料の選択の自由度が高い。
【００３６】
（９）上記の磁性コアの一例として、
一対の分割コア片を組み合わせて構成され、
各分割コア片は、一方の前記連結部と、前記連結部から立設され、前記中脚部の一部を形成する中脚片及び前記各側脚部の一部を形成する二つの側脚片とを備える形態が挙げられる。
【００３７】
上記形態は、コイルと組み付け易く、組付部品点数も少ない。従って、上記形態は、設置高さが低く、低損失で、放熱性にも優れるリアクトルなどを構築できる上に、リアクトルなどを製造し易い。
【００３８】
（１０）本発明の一態様に係るリアクトルは、
上記（１）から（４）のいずれか一つに記載のコイルと、上記（５）から（９）のいずれか一つに記載の磁性コアとを備え、
各コイル凹部が前記中脚部の各コア凹部と前記各側脚部の凸面間に配置され、
前記巻回部における前記コイル凹部以外の箇所が前記磁性コアに覆われずに露出される。
【００３９】
上記のリアクトルは、コイル凹部を備えるという特定の形状のコイルと、中脚部にコア凹部を備える及び側脚部に凸面を備えるという特定の形状の磁性コアとを備え、各コイル凹部が中脚部のコア凹部と側脚部の凸面間に配置される。コイル凹部と中脚部及び側脚部との重複配置によって、上記のリアクトルの大きさを小さくできる。また、上記のリアクトルは、巻回部の一部（主としてコイル凹部）を磁性コアに覆われる箇所とし、巻回部の他部（主としてコイル凹部以外）を磁性コアに覆われない露出箇所とする。そのため、上述のように巻回部や磁性コアが横長な外観を有する場合でも、漏れ磁束及びこれに起因する損失を低減できる上に、コイルの熱を効率よく放散できる。従って、上記のリアクトルは、好ましくは横置き形態とすることで設置高さを低くできる上に、低損失で、放熱性にも優れる。
【００４０】
（１１）上記のリアクトルの一例として、
前記側脚部は、前記巻回部における前記磁性コアからの露出箇所の一部と面一な面を備える形態が挙げられる。
【００４１】
上記形態は、巻回部における磁性コアから出っ張った箇所が少なく、更に小型なリアクトルといえ、設置高さをより低くし易い。また、上記形態は、巻回部における面一な面を放熱面として利用すれば、放熱性により優れる。
【００４２】
［本発明の実施形態の詳細］
以下、図面を参照して、本発明の実施形態を具体的に説明する。図中の同一符号は同一名称物を示す。以下、図面に示すリアクトル、コイル、磁性コアについて、その下面を設置対象の載置面に配置される設置面とする場合を説明する。また、以下の説明では、リアクトルなどを設置対象に設置した状態において、コイルの巻回部の軸方向に沿った方向を長さ方向、巻回部の軸方向に直交する方向であって、設置対象の載置面に平行な方向を幅方向、載置面に直交する方向を高さ方向と呼ぶことがある。
【００４３】
［実施形態１］
図１から図５を参照して、実施形態１のリアクトル１Ａ，コイル２Ａ，磁性コア３Ａを説明する。図２，図５は、リアクトル１Ａをコイル２Ａの軸方向に直交する平面で切断した横断面図である。
【００４４】
（リアクトル）
＜概要＞
実施形態１のリアクトル１Ａは、図１に示すように巻線２ｗが巻回されてなる一つの筒状の巻回部２０を備えるコイル２Ａと、コイル２Ａの内外に配置される磁性コア３Ａとを備える。磁性コア３Ａは、図２に示すようにコイル２Ａの巻回部２０の内周に配置される中脚部３１と、巻回部２０の外周に配置されて中脚部３１を挟む二つの側脚部３２，３３と、中脚部３１及び両側脚部３２，３３を挟み、これら中脚部３１及び側脚部３２，３３を連結する二つの連結部３４，３５（図１、図４）とを備える。磁性コア３Ａは、端的にいうと、一対のＥ字状の分割コアを変形させた組物である（図４）。この例のリアクトル１Ａは、コンバータケースなどの設置対象（図示せず）の載置面に対して巻回部２０の軸方向（又は中脚部３１の軸方向）が平行するように設置される横置き形態で使用される。
【００４５】
実施形態１のリアクトル１Ａは、図３に示すように筒状の巻回部２０の一部が内側に向かって凹んだ特定の形状である実施形態１のコイル２Ａを備える。また、実施形態１のリアクトル１Ａは、図２に示すように中脚部３１に側脚部３２，３３に挟まれない箇所（張出箇所３１ｐ）を備えると共に、図４に示すように中脚部３１の一部が内側に向かって凹み、側脚部３２，３３が中脚部３１の凹みに向かって突出するという特定の形状である実施形態１の磁性コア３Ａを備える。更に、実施形態１のリアクトル１Ａは、図２に示すように巻回部２０における上述の凹み部分（コイル凹部２２，２３）を、中脚部３１の凹み部分（コア凹部３１２，３１３）と側脚部３２，３３の突出部分（凸面３２０，３３０）とに挟まれて磁性コア３Ａに覆われる箇所とし、巻回部２０の凹み部分以外の箇所を磁性コア３Ａに覆われない露出箇所とする。以下、構成要素ごとに詳細に説明する。
【００４６】
（コイル）
＜概要＞
実施形態１のコイル２Ａは、図３に示すように１本の巻線２ｗが螺旋状に巻回されてなる筒状の巻回部２０を備える。巻回部２０は、その内周面に囲まれる内側空間に向かって、凹み方向が互いに逆向きになるように設けられた二つのコイル凹部２２，２３を備える。この例では、二つのコイル凹部２２，２３が対向配置される。図２，図３では、コイル凹部２２の凹み方向が下向き、コイル凹部２３の凹み方向が上向きであり、巻回部２０の幅方向（図２では左右方向）の同一位置において正反対の方向に凹んだ場合を示す。
【００４７】
この例の巻回部２０は横長な直方体に内包されるような横長の外観を有する。この巻回部２０は、横長な直方体状の筒体における長辺側の領域がそれぞれ内側に向かって凹んで幅方向の中央部がくびれており、この幅方向の中央部から離れるにつれて高さが大きくなるリボン状の筒体である。コイル２Ａに磁性コア３Ａを組み付ける場合、内側空間を中脚部３１の配置箇所とし、各コイル凹部２２，２３を各側脚部３２，３３の配置箇所とすることで、コイル凹部２２，２３は中脚部３１と側脚部３２，３３とで挟まれ、コイル凹部２２，２３以外の箇所は磁性コア３Ａから露出される。
【００４８】
＜巻線＞
この例の巻線２ｗは、銅などからなる導体線と、導体線の外周を覆うポリアミドイミドなどの絶縁材料からなる絶縁被覆とを備える被覆線であり、横断面形状が長方形状である平角線である。この例の巻回部２０は、エッジワイズコイルである。巻線２ｗを丸線などの種々の形状の線材とすることができる。本例のように平角線のエッジワイズコイルとすると、丸線コイルに比較して、占積率を高めて小型化し易い（特に長さを短くし易い）上に、図３に示すように巻回部２０の外周面を平滑な面にし易い。例えば、コイル凹部２２，２３は円弧状面で形成され、設置状態において下方に位置する設置面２３５，２３５と、上方に位置し、設置面２３５に対向する対向面２２５，２２５と、幅方向の両側に位置する側面とは平坦な平面で形成される（図２参照）。
【００４９】
巻回部２０に連続し、巻回部２０の各端面側に配置される巻線２ｗの各端部は、電源などの外部装置との接続部に利用される。図３では、巻線２ｗの各端部が巻回部２０から離れるように上方に引き出された場合を例示するが、引出方向、引出長さなどは適宜変更できる。
【００５０】
＜コイル凹部＞
この例のコイル凹部２２，２３はいずれも円弧状であるが（図２）、適宜変更できる。本例のように円弧状であれば、巻回部２０における角張った部分を低減でき、コイル２Ａを製造し易い。また、巻回部２０に対応して磁性コア３Ａも角張った部分を低減できて割れなどが生じ難く組み付け作業性に優れると期待される。
【００５１】
この例のコイル凹部２２，２３は、図２に示すように同一形状、同一の大きさであり、幅方向の形成位置が等しく、高さ方向の形成位置を高さ方向の中心線ＬＨを中心として対称位置としている。そのため、巻回部２０の端面形状及び横断面形状は、幅方向の中心線ＬＷを中心として対称形状であり、かつ高さ方向の中心線ＬＨを中心として対称形状である。コイル凹部２２，２３の形状や大きさ（曲げ半径、巻回部２０の内側への突出高さなど）、形成位置などを異ならせて、巻回部２０の端面形状及び横断面形状を非線対称な形状とすることができる（後述の実施形態２参照）。本例のように線対称形状であれば、非線対称な場合と比較してコイル２Ａを形成し易い上に、磁束を磁性コア３Ａにバランスよく流し易い。各コイル凹部２２，２３の大きさ、コイル凹部２２，２３間の間隔などは適宜選択できる。本例では、コイル凹部２２，２３の内周面同士が接触せず、巻回部２０における幅方向の中央部に所定の隙間Ｈ２（ここではコイル凹部２２，２３間の最短距離とする）を有し、中央部から幅方向の両側に向かって巻回部２０の内周面における対向領域間の間隔が大きい場合を示す。コイル凹部２２，２３の開口幅Ｗ２２，Ｗ２３は、巻回部２０の幅Ｗ２の２０％以上９０％以下程度、コイル凹部２２，２３の最大深さＨ２２，Ｈ２３は、巻回部２０の高さＨの１０％以上５０％未満程度とすることができる。
【００５２】
＜アスペクト比＞
横長の巻回部２０とは、定量的には、巻回部２０の端面を内包する長方形を想定した場合に、この仮想の長方形の短辺に対する長辺の比（ここでは、幅Ｗ２／高さＨに相当）が１を超えることをいう。特に上記比が１．５以上であると、リアクトル１Ａの設置高さが相対的に小さくなり易い。上記比が大きいほど低背化し易く、１．８以上、更に２．０以上であることが好ましい（本例では２．０以上）。上記比が大き過ぎるとコイル２Ａの製造性の低下などを招くことから、製造性を考慮すると、上記比を４．０以下程度とすることができる。短辺の長さ（高さＨ）の絶対値が小さければ、設置高さをより小さくできる。
【００５３】
＜製造方法＞
コイル凹部２２，２３を備えるコイル２Ａの製造方法としては、例えば、巻線２ｗを螺旋状に巻回してコイル凹部２２，２３を備える筒体を形成する方法、巻線２ｗを螺旋状に巻回して例えば四角筒体や円筒体を形成した後、筒体の所定の位置を押圧するなどしてコイル凹部２２，２３を形成する方法などが挙げられる。
【００５４】
＜その他の構成＞
コイル２Ａは、巻回部２０の外周の少なくとも一部を覆う樹脂モールド部６を備えることができる。図３では、巻回部２０の内外の実質的に全体を覆う樹脂モールド部６を仮想線（二点鎖線）で示すが、巻回部２０の内周面及び外周面並びに端面の少なくとも一部を覆わずに露出させた形態とすることもできる。例えば、巻回部２０における磁性コア３Ａからの露出箇所を樹脂モールド部６からも露出させると、放熱性を高め易い。又は、例えば、巻回部２０の内周面の少なくとも一部及び巻回部２０の端面の少なくとも一部を樹脂モールド部６で覆うと、コイル２Ａと磁性コア３Ａ間の電気絶縁性を高められる。樹脂モールド部６を備えていない場合でも、巻線２ｗとして上述の被覆線を利用すれば、コイル２Ａと磁性コア３Ａ間の電気絶縁性を高められる。
【００５５】
樹脂モールド部６の構成材料は、例えば、熱可塑性樹脂、熱硬化性樹脂などの絶縁性樹脂が挙げられる。熱可塑性樹脂は、例えば、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリブチレンテレフタレート（ＰＢＴ）樹脂、アクリロニトリル・ブタジエン・スチレン（ＡＢＳ）樹脂などが挙げられる。熱硬化性樹脂は、例えば、不飽和ポリエステル樹脂、エポキシ樹脂、ウレタン樹脂、シリコーン樹脂などが挙げられる。絶縁性樹脂にアルミナやシリカなどの非磁性かつ非金属粉末を含有することができる。この場合、放熱性や電気絶縁性などを向上できる。
【００５６】
（磁性コア）
＜概要＞
実施形態１の磁性コア３Ａは、図４に示すように側脚部３２，３３間に中脚部３１が介在され、これらは、側脚部３２，中脚部３１，側脚部３３という順に重ねた状態で、対向配置される二つの連結部３４，３５間に挟まれる。中脚部３１は、その内部に向かって、凹み方向が互いに逆向きなるように設けられた二つのコア凹部３１２，３１３を備え、各側脚部３２，３３は、各コア凹部３１２，３１３に向かって突出し、各コア凹部３１２，３１３との間に所定の隙間を設けて配置される凸面３２０，３３０を備える。この例では、図２に示すように二つのコア凹部３１２，３１３が対向配置されると共に、二つの凸面３２０，３３０が対向配置される。図２では、コア凹部３１２の凹み方向及び凸面３２０の突出方向が下向き、コア凹部３１３の凹み方向及び凸面３３０の突出方向が上向きであり、磁性コア３Ａの横断面における幅方向の同一位置において正反対の方向にコア凹部３１２，３１３が凹み、凸面３２０，３３０が突出した場合を示す。その他、この例の磁性コア３Ａは横長な直方体に内包されるような横長の外観を有する（図１）。
【００５７】
中脚部３１は、二つの側脚部３２，３３に挟まれる介在箇所３１ｄと、二つの側脚部３２，３３に挟まれない張出箇所３１ｐとを含む。張出箇所３１ｐを含む点は、中脚の幅が側脚の幅と同等又はそれ以下である従来のＥ字状の磁性コアとの相違点の一つである。図２では、張出箇所３１ｐが分かり易いようにクロスハッチングを付して示す。
【００５８】
磁性コア３Ａは、コア凹部３１２と凸面３２０間の隙間をコイル凹部２２の配置箇所とし、コア凹部３１３と凸面３３０間の隙間をコイル凹部２３の配置箇所とし、中脚部３１の張出箇所３１ｐを巻回部２０におけるコイル凹部２２，２３以外の箇所の配置箇所とする。こうすることで、コイル２Ａと磁性コア３Ａとを組み付けると、コイル凹部２２，２３は磁性コア３Ａに覆われ、コイル凹部２２，２３以外の箇所は磁性コア３Ａから露出される（図１，図２）。
【００５９】
＜構成材料＞
磁性コア３Ａは、磁性粉末と樹脂とを含む複合材料の成形体を備えることができる。磁性粉末の粒子は、軟磁性金属や軟磁性非金属から構成される粒子、軟磁性金属粒子の外周にリン酸塩などで構成される絶縁被覆を備える被覆粒子などが挙げられる。軟磁性金属は純鉄などの鉄族金属や鉄基合金（Ｆｅ−Ｓｉ合金、Ｆｅ−Ｎｉ合金など）など、軟磁性非金属はフェライトなどが挙げられる。
【００６０】
複合材料中の磁性粉末の含有量は、３０体積％以上８０体積％以下、樹脂の含有量は１０体積％以上７０体積％以下が挙げられる。飽和磁束密度や放熱性の向上の観点から、磁性粉末の含有量を５０体積％以上、更に５５体積％以上、６０体積％以上とすることができる。製造過程での流動性の向上の観点から、磁性粉末の含有量を７５体積％以下、更に７０体積％以下、樹脂の含有量を３０体積％超とすることができる。
【００６１】
複合材料中の樹脂は、上述の樹脂モールド部６の項で説明した熱硬化性樹脂、熱可塑性樹脂、その他、常温硬化性樹脂、低温硬化性樹脂などが挙げられる。不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなども利用できる。
【００６２】
磁性粉末及び樹脂に加えて、アルミナやシリカなどの非磁性かつ非金属粉末を含有する複合材料とすることができる。非磁性かつ非金属粉末の含有量は、０．２質量％以上２０質量％以下、更に０．３質量％以上１５質量％以下、０．５質量％以上１０質量％以下が挙げられる。
【００６３】
複合材料の成形体は、射出成形や注型成形などの適宜な成形方法によって製造できる。例えば、成形型又はケース４（図５）にコイル２Ａを収納して、コイル２Ａの内外に流動状態の複合材料を充填すれば、一体成形された磁性コア３Ａを製造できる。適宜な形状の成形型を利用すれば、複合材料の成形体から構成される分割コア片を製造できる。複合材料の成形体は、複雑な形状であっても容易に成形でき、製造性に優れる。
【００６４】
又は、磁性コア３Ａは、磁性粉末を含む圧粉成形体を備えることができる。圧粉成形体は、代表的には、磁性粉末とバインダーとを含む混合粉末を所定の形状に圧縮成形したもの、更に成形後に熱処理を施したものが挙げられる。バインダーは樹脂などを利用でき、その含有量は３０体積％以下程度が挙げられる。熱処理を施すと、バインダーが消失したり、熱変性物になったりする。適宜な形状の成形型を利用することで、圧粉成形体から構成される分割コア片を製造できる。圧粉成形体は、複合材料の成形体よりも磁性粉末の含有量を高められて、飽和磁束密度が高い磁性コアなどを構築し易い。
【００６５】
又は、磁性コア３Ａは、珪素鋼板などの軟磁性板を積層した積層体、フェライトコアなどの焼結体などを備えることができる。
【００６６】
磁性コア３Ａは、ギャップ材やエアギャップを備えることができる。ギャップ材は、アルミナなどの非磁性材料から構成されるもの、磁性材料と非磁性材料との混合物から構成され、比透磁率が分割コア片などの成形体よりも低いものなどが挙げられる。磁性コア３Ａが複合材料の成形体などを含み、磁気飽和し難い場合にはギャップ材やエアギャップといった磁気ギャップを省略したり、磁気ギャップを少なくしたりできる。この場合、磁気ギャップ部分での漏れ磁束に起因する損失を低減し易く、コイル２Ａと磁性コア３Ａとを近接配置でき、より小型にし易い。
【００６７】
＜成形状態＞
磁性コア３Ａは、一体成形物とすることができる。この場合、上述のように複合材料の成形体とすると容易に製造できる。また、この場合、樹脂モールド部６を備えるコイル２Ａなどとすると、コイル２Ａの形状を維持し易い。図４は、一体成形物である磁性コア３Ａを中脚部３１の軸方向に直交する平面で切断して、切断片を離して配置した状態に類似する。
【００６８】
又は、磁性コア３Ａは、複数の分割コア片を組み合わせた組物とすることができる。分割数や各分割コア片の形状、構成材料などは適宜選択できる。図４は、一対の分割コア片３ａ，３ｂを組み合わせて構成される形態を示す。一方の分割コア片３ａは、一方の連結部３４と、連結部３４から立設され、中脚部３１の一部を形成する中脚片３１ａ及び各側脚部３２，３３の一部を形成する二つの側脚片３２ａ，３３ａとを備える。他方の分割コア片３ｂは、一方の連結部３５と、連結部３５から立設され、中脚部３１の他部を形成する中脚片３１ｂ及び各側脚部３２，３３の他部を形成する二つの側脚片３２ｂ，３３ｂとを備える。図４に示すように分割コア片３ａ，３ｂを同一形状、同一の大きさで、かつ対称形状とすると、製造性に優れる。また、一対の分割コア片３ａ，３ｂの組物とすると、組み付け工程が少なく、リアクトル１Ａの組立作業性に優れる。磁性コア３Ａは、異なる材料から構成される分割コア片を含む形態（例えば、複合材料の成形体から構成される分割コア片と圧粉成形体から構成される分割コア片とを含む形態など）、全ての分割コア片が同じ材料から構成される形態のいずれも利用できる。
【００６９】
＜中脚部、側脚部、連結部＞
この例の中脚部３１は、図４に示すように横長な直方体における長辺側の領域がそれぞれ内側に向かって凹み、幅方向の中央部から離れるにつれて高さが大きくなるリボン状の柱状体である。凹み部分がコア凹部３１２，３１３である。中脚部３１は、コア凹部３１２，３１３を形成する円弧状の面と、幅方向の両側に配置され、直方形状の平面で構成される側面とを備える。各円弧状の面は、同一形状、同一の大きさである。
【００７０】
この例の側脚部３２，３３は、同一形状、同一の大きさであり、コア凹部３１２，３１３に沿った円弧状の凸面３２０，３３０を有し、ドーム状の端面及び横断面を有する柱状体である。設置対象側に配置される側脚部３３は、長方形状の平面で構成される設置面３３５を有する（図２）。設置対象とは離れる側に配置される側脚部３２は、設置面３３５に対向配置され、長方形状の平面で構成される対向面３２５を有する。
【００７１】
この例の連結部３４，３５は、同一形状、同一の大きさの薄い直方体であり、中脚部３１の幅Ｗ３（図２）と同じ幅、巻回部２０の高さＨ（図２）と同じ高さを有する。連結部３４，３５の側面と中脚部３１の側面とは面一に設けられる（図４）。連結部３４，３５の設置面（図２、図４では下面）と側脚部３３の設置面３３５（図２）とは面一に設けられる。連結部３４，３５における設置面とは対向配置される対向面（図２、図４では上面）は、側脚部３２の対向面３２５（図２）に面一に設けられる。即ち、中脚部３１の軸方向に磁性コア３Ａをみると、中脚部３１及び側脚部３２，３３は連結部３４，３５から出っ張らないように設けられている（図１）。
【００７２】
この例の磁性コア３Ａは、その横断面形状（各分割コア片３ａ，３ｂの端面形状も同様）が図２に示すように幅方向の中心線ＬＷを中心として対称形状であり、かつ高さ方向の中心線ＬＨを中心として対称形状である。
【００７３】
＜コア凹部、凸面＞
この例のコア凹部３１２，３１３及び凸面３２０，３３０は円弧状であるが、適宜変更できる。コア凹部３１２，３１３及び凸面３２０，３３０の形状、大きさは、代表的には、磁性コア３Ａに組み付けるコイル２Ａの形状、特にコイル凹部２２，２３に応じた形状、大きさとする。磁性コア３Ａを一体成形物とする場合には、コイル２Ａに沿って磁性コア３Ａを製造すれば、コイル凹部２２，２３に応じたコア凹部３１２，３１３及び凸面３２０，３３０を備える磁性コア３Ａとすることができる。磁性コア３Ａを複数の分割コア片の組物とする場合には、コア凹部３１２と凸面３２０間、コア凹部３１３と凸面３３０間にコイル凹部２２，２３を収納可能な大きさの隙間（例えば、巻線２ｗの幅よりも若干大きな隙間）が形成されるように、中脚部３１及び側脚部３２，３３の形状、大きさ、配置位置などを調整するとよい。分割コア片の組物とする場合、本例のようにコア凹部３１２，３１３及び凸面３２０，３３０が円弧状であれば、角張った部分を低減できて、コイル２Ａとの組み付け時に割れなどが生じ難く、組み付け作業性に優れると期待される。
【００７４】
＜介在箇所、張出箇所＞
この例の中脚部３１は、図２に示すようにその幅Ｗ３が側脚部３２，３３の幅よりも長い。中脚部３１における幅方向の中央部（介在箇所３１ｄ）は、図２において上下に位置する側脚部３２，３３に挟まれる。中脚部３１における幅方向の両端部（張出箇所３１ｐ）は側脚部３２，３３に挟まれず、側脚部３２，３３よりも幅方向に突出している。ここでの介在箇所３１ｄとは、側脚部３２の対向面３２５（又は側脚部３３の設置面３３５）に対して直交方向に投影した場合に中脚部３１における両側脚部３２，３３と重複する箇所とし、重複しない箇所を張出箇所３１ｐとする。この例の介在箇所３１ｄは、側脚部３２，３３の対向面３２５、設置面３３５に直交し、側脚部３２，３３の幅方向の各端部を通る直線（図２では二点鎖線で示す）で挟まれる領域である。介在箇所３１ｄや張出箇所３１ｐにおける幅方向の形成長さは適宜選択できる。介在箇所３１ｄの上記形成長さが大きいほど、漏れ磁束に起因する損失の増大を低減し易い。張出箇所３１ｐの上記形成箇所が大きいほど、巻回部２０における張出箇所３１ｐに沿って配置される領域を大きくして露出箇所を確保し易く、放熱性を高め易い。介在箇所３１ｄの上記形成長さは、例えば、中脚部３１の幅Ｗ３の１％以上８０％以下程度、張出箇所３１ｐの上記形成長さ（２か所の合計長さ）は、例えば、中脚部３１の幅Ｗ３の２０％以上８０％以下程度とすることができる。
【００７５】
＜アスペクト比＞
横長の磁性コア３Ａとは、定量的には、中脚部３１の軸方向に直交する面で磁性コア３Ａを切断した横断面を内包する長方形を想定した場合に、この仮想の長方形の短辺に対する長辺の比（ここでは幅Ｗ３／高さＨに相当）が１を超えることをいう。特に上記比が１．５以上であると、リアクトル１Ａの設置高さが相対的に小さくなり易い。上記比が大きいほど低背化し易く、１．６以上、更に１．８以上であることが好ましい（本例では１．８以上）。上記比が大き過ぎると磁性コア３Ａの製造性の低下などを招くことから、製造性を考慮すると、上記比を４．０以下程度とすることができる。短辺の長さ（高さＨ）の絶対値が小さければ、設置高さをより小さくできる。
【００７６】
（リアクトル）
実施形態１のリアクトル１Ａは、上述の実施形態１のコイル２Ａと、実施形態１の磁性コア３Ａとを備える。特に、実施形態１のリアクトル１Ａは、コイル２Ａの巻回部２０における各コイル凹部２２，２３が、中脚部３１の各コア凹部３１２，３１３と各側脚部３２，３３の凸面３２０，３３０間に設けられる円弧状の隙間にそれぞれ配置され（図２）、コイル凹部２２，２３以外の箇所が磁性コア３Ａに覆われずに露出される（図１）。
【００７７】
この例のように横長な外観を有して、コイル凹部２２，２３が比較的長い場合でも、中脚部３１と側脚部３２，３３とで挟まれることで、巻回部２０からの磁束が磁性コア３Ａを通過し易く、巻回部２０に鎖交する磁束を低減し易い。
【００７８】
巻回部２０における磁性コア３Ａからの露出箇所は、中脚部３１の張出箇所３１ｐを囲む箇所であり、設置面２３５、対向面２２５、及び側面を含み、これらの面を外部への放熱面として利用できる。例えば、巻回部２０の側面に冷却機構が近接配置される場合には側面を放熱面に利用できる。
【００７９】
この例の側脚部３２，３３は、巻回部２０における磁性コア３Ａからの露出箇所の一部と面一な面を備える。具体的には、側脚部３３の設置面３３５は、巻回部２０の設置面２３５と面一である。そのため、リアクトル１Ａの設置面は、巻回部２０と、磁性コア３Ａの側脚部３３及び連結部３４，３５とで構成される。例えば、リアクトル１Ａが冷却機構を備える設置対象の載置面に設置されると、巻回部２０の設置面２３５を放熱面とし、設置対象に放熱できる。この例では、側脚部３２の対向面３２５と巻回部２０の対向面２２５も面一である。そのため、リアクトル１Ａは、図１に示すように全体として偏平な直方体状の外観を有する。
【００８０】
その他、リアクトル１Ａは、図５に示すようにコイル２Ａと磁性コア３Ａとを含む組物を収納するケース４を備えることができる。ケース４は、リアクトル１Ａの設置面を支持する底部４０と、底部４０から立設される壁部４１とを備える箱体が挙げられる。ケース４の形状、大きさは、組物に対応した形状、大きさであると、ケース４を具備していても小型にし易い。ケース４の構成材料は、アルミニウムやアルミニウム合金などの金属とすると、ケース４を放熱経路に利用できる、強度に優れて機械的保護を図り易いなどの効果が期待できる。図５では、組物の設置面がケース４の内底面に近接され、組物の側面（ここでは巻回部２０の側面）がケース４の内壁面に近接されるような形状、大きさの金属製のケース４を示す。組物と金属製のケース４とが近接配置されることで、コイル２Ａの熱をケース４に効率よく伝えられる。
【００８１】
また、リアクトル１Ａは、図５に示すようにコイル２Ａと磁性コア３Ａとを含む組物とケース４の内底面間に放熱層９を備えることができる。放熱層９は、放熱性に優れる材料から構成されて、コイル２Ａからケース４への熱伝導性を高める。具体的な材料は、放熱性に優れるフィラー（アルミナなどの非磁性かつ非金属粉末）と樹脂とを含むものが挙げられ、シートなどを利用してもよい。放熱層９が接着剤を含むと、放熱層９によって、ケース４に組物を固定できる。ケース４及び放熱層９の少なくとも一方を省略することもできる。
【００８２】
（用途）
実施形態１のリアクトル１Ａは、ハイブリッド自動車、プラグインハイブリッド自動車、電気自動車、燃料電池自動車などの車両に搭載される車載用コンバータ（代表的にはＤＣ−ＤＣコンバータ）や空調機のコンバータなどの種々のコンバータ、電力変換装置の構成部品に利用できる。特に、実施形態１のリアクトル１Ａは、大電流用途（１００Ａ以上、更に１５０Ａ以上）であり、放熱性に優れることが要求される上に低背化が望まれる場合に好適に利用できる。実施形態１のコイル２Ａ、実施形態１の磁性コア３Ａは、リアクトル１Ａなどの構成要素に利用できる。
【００８３】
（主要な効果）
実施形態１のリアクトル１Ａは、横長な外観を有しており、横置き形態とする場合に設置高さを低くできる。特に、実施形態１のリアクトル１Ａは、コイル凹部２２，２３を備える実施形態１のコイル２Ａと、コア凹部３１２，３１３及び凸面３２０，３３０を備える実施形態１の磁性コア３Ａとを備えることで、以下の理由（１）から（３）により、設置高さがより低い上に、低損失で放熱性にも優れる。
（１）磁性コア３Ａにおける中脚部３１のコア凹部３１２，３１３と側脚部３２，３３の凸面３２０，３３０間に巻回部２０のコイル凹部２２，２３を配置して、高さ方向にみたときに巻回部２０の一部と磁性コア３Ａの一部とを重複配置することで、低背化を図れる。
（２）磁性コア３Ａの中脚部３１に張出箇所３１ｐを備えて、巻回部２０における張出箇所３１ｐを囲む箇所を磁性コア３Ａに覆われない露出箇所とし、この露出箇所をコイル２の放熱箇所に利用できる。
（３）磁性コア３Ａにおける中脚部３１は張出箇所３１ｐと側脚部３２，３３との介在箇所３１ｄとを含むため、磁路面積を確保できると共に漏れ磁束を低減できる。その結果、巻回部２０に鎖交する磁束を低減できる。
【００８４】
その他、この例のリアクトル１Ａは、以下の効果を奏する。
（ａ）巻回部２０の露出箇所の一部と側脚部３２，３３の一部とが面一であるため、高さＨを小さくし易く、設置高さをより低くできる。
（ｂ）巻回部２０の露出箇所が、設置面２３５、対向面２２５、側面の三方向の面を含むため、各面を放熱面とすることができ、放熱性をより高められる。
（ｃ）コイル２Ａはコイル凹部２２，２３が対向配置されて対称形状であり、磁性コア３Ａはコア凹部３１２，３１３及び凸面３２０，３３０が対向配置されて対称形状であるため、コイル２Ａや磁性コア３Ａの製造性に優れる上に、電磁気的なバランスにも優れる。
【００８５】
［実施形態２］
図６を参照して、実施形態２のリアクトル１Ｂを説明する。図６は、リアクトル１Ｂをコイル２Ｂの軸方向に直交する平面で切断した横断面図である。
【００８６】
実施形態２のリアクトル１Ｂの基本的構成は、実施形態１のリアクトル１Ａと同様である。即ち、リアクトル１Ｂは、横長な外観を有しており、横置き形態とすると設置高さを低くできる。リアクトル１Ｂは、巻回部２０にコイル凹部２２，２３を備える実施形態２のコイル２Ｂと、中脚部３１にコア凹部３１２，３１３を備えると共に側脚部３２，３３に凸面３２０，３３０を備える実施形態２の磁性コア３Ｂとを備える。実施形態２のリアクトル１Ｂにおける実施形態１との主な相違点は、コイル凹部２２，２３が互いに巻回部２０の幅方向にずれて配置され、巻回部２０の形状に対応して、コア凹部３１２，３１３及び凸面３２０，３３０も巻回部２０の幅方向にずれて配置される点にある。以下、この相違点を詳細に説明し、実施形態１と重複する構成及び効果などは詳細な説明を省略する。
【００８７】
実施形態２のコイル２Ｂでは、巻回部２０の幅方向の一方側寄り（図６では左側寄り）にコイル凹部２２が位置し、他方側寄り（図６では右側寄り）にコイル凹部２３が位置する。いわば両コイル凹部２２，２３はほぼ対角上に位置する。そのため、コイル凹部２２，２３の一部は対向するものの、他部は対向しない。図６では、コイル凹部２２の凹み方向が下向き、コイル凹部２３の凹み方向が上向きであり、巻回部２０の幅方向の左右にずれた位置において正反対の方向に凹んだ場合を示す。
【００８８】
コイル凹部２２，２３の形成位置が幅方向にずれていることで、コイル２Ｂの設置面２３５及び対向面２２５は、実施形態１のコイル２Ａに比較して、大きな面積を有し易い。ここで、実施形態１のコイル２Ａでは、図２に示すようにコイル凹部２２，２３の両側に比較的小さな設置面２３５，２３５及び対向面２２５，２２５を備える。これに対し、実施形態２のコイル２Ｂでは、図６に示すように設置面２３５及び対向面２２５がそれぞれ一つの連続した面で構成されるため、大きな面積を確保できる。この点から放熱性の更なる向上が期待できる。
【００８９】
実施形態２の磁性コア３Ｂでは、中脚部３１の幅方向の一方側寄り（図６では左側寄り）にコア凹部３１２が位置し、コア凹部３１２の位置に対応して側脚部３２の凸面３２０も位置する。中脚部３１の幅方向の他方側寄り（図６では右側寄り）にコア凹部３１３が位置し、コア凹部３１３の位置に対応して側脚部３３の凸面３３０も位置する。両コア凹部３１２，３１３はほぼ対角上に位置し、対応して両凸面３２０，３３０もほぼ対角上に位置する。そのため、コア凹部３１２，３１３の一部は対向するものの、他部は対向しない。両凸面３２０，３３０の一部は対向するものの、他部は対向しない。図６では、コア凹部３１２の凹み方向及び凸面３２０の突出方向が下向き、コア凹部３１３の凹み方向及び凸面３３０の突出方向が上向きであり、磁性コア３Ｂの横断面における幅方向の左右にずれた位置において正反対の方向にコア凹部３１２，３１３が凹み、凸面３２０，３３０が突出した場合を示す。なお、側脚部３３の設置面３３５と巻回部２０の設置面２３５とは面一であり、側脚部３２の対向面３２５と巻回部２０の対向面２２５とは面一である。
【００９０】
図６では、張出箇所３１ｐが分かり易いようにクロスハッチングを付して示す。コア凹部３１２，３１３の形成位置が幅方向にずれていることで、中脚部３１における二つの側脚部３２，３３に挟まれる介在箇所３１ｄの幅が実施形態１の磁性コア３Ａと比較して小さく、中脚部３１における二つの側脚部３２，３３に挟まれない張出箇所３１ｐ，３１ｐが実施形態１の磁性コア３Ａと比較して大きい。そのため、張出箇所３１ｐを囲むように配置される巻回部２０の露出箇所を大きく確保し易く、放熱性を向上できる。
【００９１】
実施形態２のリアクトル１Ｂは、実施形態１と同様に、コイル凹部２２，２３を備える実施形態２のコイル２Ｂと、コア凹部３１２，３１３及び凸面３２０，３３０を備える実施形態２の磁性コア３Ｂとを備えるため、設置高さが低く、低損失で放熱性にも優れる。特に実施形態２のリアクトル１Ｂは、上述のように巻回部２０の露出箇所を大きく確保し易いことから、放熱性により優れる。
【００９２】
［変形例］
上述の実施形態１，２に対して、以下の少なくとも一つの変更や追加が可能である。
（１）温度センサ、電流センサ、電圧センサ、磁束センサなどのリアクトルの物理量を測定するセンサ（図示せず）を備える。
（２）巻回部２０の露出箇所（例えば巻回部２０の側面など）に放熱板を備える。
（３）樹脂モールド部６に代えて、ボビンなどの絶縁介在部材を備える。
（４）樹脂モールド部６に代えて、又は樹脂モールド部６の具備に加えて、巻回部２０を構成する隣り合うターン同士を接合する熱融着樹脂部（図示せず）を備える。
（５）ケース４内にコイル２Ａと磁性コア３Ａとを含む組物を封止する封止樹脂を備える。
【００９３】
本発明は、これらの例示に限定されるものではなく、特許請求の範囲によって示され、特許請求の範囲と均等の意味及び範囲内での全ての変更が含まれることが意図される。
例えば、横置き形態以外の設置形態とすることができる。例えば、巻回部２０の軸方向が設置対象の設置面に直交する設置形態、図２に示す状態から右方又は左方に９０°回転させて、巻回部２０の短辺側の側面が設置面となる設置形態などが挙げられる。これらの形態は、低損失なリアクトルなどとすることができる。また、これらの形態は、冷却機構の配置状態などによっては、放熱性にも優れると期待される。
【００９４】
［付記］
設置高さが低く、低損失で、放熱性にも優れるリアクトルとして、例えば、以下の構成とすることができる。
［付記１］
巻線が巻回されて筒状の巻回部を備えるコイルと、
前記巻回部の内周に配置される中脚部と、前記巻回部の外周に配置されて前記中脚部を挟む二つの側脚部と、前記中脚部及び両側脚部を挟み、これらを連結する二つの連結部とを備える磁性コアとを備え、
前記巻回部は、
その内周面に囲まれる内側空間に向かって、凹み方向が互いに逆向きになるように設けられ、前記中脚部と前記側脚部とで挟まれる二つのコイル凹部と、
前記磁性コアに覆われずに露出される露出箇所とを備え、
前記中脚部は、
前記二つの側脚部に挟まれない張出箇所と、
前記コイル凹部に沿って設けられ、前記中脚部の内部に向かって凹む二つのコア凹部とを備え、
各側脚部は、
各コア凹部に向かって突出し、前記コア凹部と共にコイル凹部を挟む凸面を備えるリアクトル。
【符号の説明】
【００９５】
１Ａ，１Ｂ  リアクトル
２Ａ，２Ｂ  コイル
２０  巻回部  ２２，２３  コイル凹部  ２２５  対向面  ２３５  設置面
２ｗ  巻線
３Ａ，３Ｂ  磁性コア
３１  中脚部  ３１ｄ  介在箇所  ３１ｐ  張出箇所  ３１２，３１３  コア凹部
３２，３３  側脚部  ３２０，３３０  凸面  ３２５  対向面（面一な面）
３３５  設置面（面一な面）
３４，３５  連結部
３ａ，３ｂ  分割コア片  ３１ａ，３１ｂ  中脚片
３２ａ，３２ｂ，３３ａ，３３ｂ  側脚片
４  ケース
４０  底部  ４１  壁部
６  モールド樹脂部
９  放熱層
【図１】
2018049947.tif 000003
【図２】
2018049947.tif 000004
【図３】
2018049947.tif 000005
【図４】
2018049947.tif 000006
【図５】
2018049947.tif 000007
【図６】
2018049947.tif 000008